(57)【要約】【課題】火災発生時の樹脂製の框体の溶融による障子の室外側と室内側への分離を効果的に防止できる建具を提供すること。【解決手段】建具１は、障子２０の戸先側に配置される樹脂製の戸先側縦框３４と、障子２０が閉鎖位置にある状態で戸先側縦框３４に対向する戸先側縦枠１４に固定されるロックピン受け金具（係合部材）１５と、戸先側縦框３４にスライド移動可能に配置され、ロックピン受け金具１５に係合するロックピン（被係合部材）５２を有するスライドプレート（スライド部材）５１と、金属製の分離防止金具５７と、を備える。分離防止金具５７は、戸先側縦框３４に固定される固定面（固定部）５７ａと、スライドプレート５１に形成されるプレート側スリット５３に差し込まれる差込片（差込部）５７ｂと、を有する。プレート側スリット５３は、差込片５７ｂが差し込まれた状態でスライドプレート５１の移動を許容する形状に構成される。【選択図】図５
2019065554.tif 000002
【特許請求の範囲】
【請求項１】
枠体及び前記枠体に開閉可能に取り付けられる障子を備える建具であって、
前記障子の戸先側に配置される樹脂製の戸先側框と、
前記障子が閉鎖位置にある状態で前記戸先側框に対向する前記枠体に固定される係合部材と、
前記戸先側框にスライド移動可能に配置され、前記係合部材に係合する被係合部材を有するスライド部材と、
前記スライド部材及び前記戸先側框の何れか一方に固定される固定部と、前記スライド部材及び前記戸先側框の何れか他方に形成される差込孔に差し込まれる差込部と、を有する金属製の分離防止金具と、を備え、
前記差込孔は、前記差込部が差し込まれた状態で前記被係合部材が前記係合部材に係合する係合位置から係合が解除されて前記障子を開くことができる解除位置まで前記スライド部材の移動を許容する形状に構成される建具。
【請求項２】
前記戸先側框の内側に形成される中空部に配置される框芯材を更に備え、
前記固定部は、前記戸先側框の外部に前記框芯材に連結された状態で固定され、
前記差込部は、前記スライド部材に形成される前記差込孔に差し込まれる請求項１に記載の建具。
【請求項３】
前記戸先側框の内側には、相対的に室外側に位置する中空部と相対的に室内側に位置する中空部が少なくとも形成され、
前記スライド部材は、前記戸先側框の前記室内側に位置する中空部に対応する位置に設けられ、
前記分離防止金具の前記固定部は、前記室外側に位置する中空部に配置される前記框芯材に固定される請求項２に記載の建具。
【請求項４】
前記戸先側框の内側の面に配置されるガラス外れ止め部材を更に備え、
前記框芯材は、前記ガラス外れ止め部材にも連結固定される請求項２又は３に記載の建具。
【請求項５】
前記分離防止金具は、前記障子が閉鎖位置にある状態で前記係合部材の上方に位置し、上下方向視で前記係合部材に重なる接触部を更に有する請求項２から４の何れかに記載の建具。
【請求項６】
前記戸先側框の内側に形成される中空部に配置される框芯材を更に備え、
前記固定部は前記スライド部材に固定され、
前記差込部は、前記戸先側框に形成される前記差込孔に差し込まれ、前記戸先側框の内部で前記框芯材と見込方向で対向する請求項１に記載の建具。
【発明の詳細な説明】
【技術分野】
【０００１】
本発明は、開閉可能な障子を備える建具に関する。
【背景技術】
【０００２】
従来、グレモン受け（ロックピン受け金具）とスライドプレートに固定されたピンによって障子を閉鎖位置でロックする建具が知られている。この種の建具を開示するものとして例えば特許文献１や特許文献２がある。
【０００３】
特許文献１には、スライドプレートは障子から離脱不能に取り付けてあり、ロックピンはスライドプレートに離脱不能に取り付けてあり、ロックピンが受け金具に係止した状態において、ガラス間口補強材、框補強材、受け金具、枠補強材が一連に連結して、ガラスの脱落を防止するという建具の記載がある。また、スライドプレートの離脱を防止すための構成がいくつか記載されている。例えば、戸先框に室外側押え金具や室内側押え金具を配置したりする構成や、スライドプレートに形成される長孔に框補強芯材に連結される離脱防止ネジを配置したりする構成や、スライドプレートの裏側に被係止金具を配置するとともに框補強材に連結されつつスライド溝に固定される係止金具を配置する構成等について記載されている。
【０００４】
特許文献２には、閉鎖位置で障子をロックする装置において、押さえ片が、ロックピンの上下部において、スライドプレートの外表面を跨ぐように設けられているとともに、スライドプレートの材料よりも耐熱性がよいものによって形成され、かつ框材に固着された、スライドプレートが框材から離間するのを防止するためのプレート離間防止部材を備える構成について記載されている。
【先行技術文献】
【特許文献】
【０００５】
【特許文献１】特開２０１４−１１８７１４号公報
【特許文献２】特許第６００１３０６号公報
【発明の概要】
【発明が解決しようとする課題】
【０００６】
特許文献１や特許文献２では、火災発生時に框体が溶融した場合でもスライドプレートの脱落が防止することができるものの、框体の構造によっては室外側と室内側に框体が分離してしまうような溶融が生じることがある。例えば、樹脂製の框体において、複数の中空部が形成される構成では、中空部と中空部の境目の壁部が溶融によって割けて室内外に分離してしまうおそれもある。
【０００７】
本発明は、火災発生時の樹脂製の框体の溶融による障子の室外側と室内側への分離を効果的に防止できる建具を提供することを目的とする。
【課題を解決するための手段】
【０００８】
本発明は、枠体（例えば、後述の枠体１０、戸先側縦枠１４）及び前記枠体に開閉可能に取り付けられる障子（例えば、後述の障子２０）を備える建具（例えば、後述の建具１）であって、前記障子の戸先側に配置される樹脂製の戸先側框（例えば、後述の戸先側縦框３４）と、前記障子が閉鎖位置にある状態で前記戸先側框に対向する前記枠体に固定される係合部材（例えば、後述のロックピン受け金具１５）と、前記戸先側框にスライド移動可能に配置され、前記係合部材に係合する被係合部材（例えば、後述のロックピン５２）を有するスライド部材（例えば、後述のスライドプレート５１）と、前記スライド部材及び前記戸先側框の何れか一方に固定される固定部（例えば、後述の固定面５７ａ，３５７ａ，４５７ａ，５４ａ）と、前記スライド部材及び前記戸先側框の何れか他方に形成される差込孔（例えば、後述のプレート側スリット５３、框側スリット３４ｊ）に差し込まれる差込部（例えば、後述の差込片５７ｂ，３５７ｂ，４５７ｂ，５４ｂ）と、を有する金属製の分離防止金具（例えば、後述の分離防止金具５７，４５７、障子下がり防止金具３５７）と、を備え、前記差込孔は、前記差込部が差し込まれた状態で前記被係合部材が前記係合部材に係合する係合位置から係合が解除されて前記障子を開くことができる解除位置まで前記スライド部材の移動を許容する形状に構成される建具に関する。
【０００９】
前記建具は、前記戸先側框の内側に形成される中空部（例えば、後述の中空部３４ｂ）に配置される框芯材（室外側縦框芯材３４ｅ）を更に備え、前記固定部（例えば、後述の固定面５７ａ，３５７ａ，４５７ａ）は、前記戸先側框の外部に前記框芯材に連結された状態で固定され、前記差込部（例えば、後述の差込片５７ｂ，３５７ｂ，４５７ｂ）は、前記スライド部材に形成される前記差込孔（例えば、後述のプレート側スリット５３）に差し込まれることが好ましい。
【００１０】
前記建具は、前記戸先側框の内側には、相対的に室外側に位置する中空部（例えば、後述の中空部３４ｂ）と相対的に室内側に位置する中空部（例えば、後述の中空部３４ｃ）が少なくとも形成され、前記スライド部材は、前記戸先側框の前記室内側に位置する中空部に対応する位置に設けられ、前記分離防止金具の前記固定部は、前記室外側に位置する中空部に配置される前記框芯材に固定されることが好ましい。
【００１１】
前記建具は、前記戸先側框の内側の面に配置されるガラス外れ止め部材（例えば、後述のガラス外れ止め部材４０）を更に備え、前記框芯材は、前記ガラス外れ止め部材にも連結固定されることが好ましい。
【００１２】
前記分離防止金具（例えば、後述の障子下がり防止金具３５７）は、前記障子が閉鎖位置にある状態で前記係合部材の上方に位置し、上下方向視で前記係合部材に重なる接触部（例えば、後述の接触片３５７ｄ）を更に有することが好ましい。
【００１３】
前記建具は、前記戸先側框の内側に形成される中空部（例えば、後述の中空部３４ｂ）に配置される框芯材（室外側縦框芯材３４ｅ）を更に備え、前記固定部（例えば、後述の固定面５４ａ）は前記スライド部材に固定され、前記差込部（例えば、後述の差込片５４ｂ）は、前記戸先側框に形成される前記差込孔（例えば、後述の框側スリット３４ｊ）に差し込まれ、前記戸先側框の内部で前記框芯材と見込方向で対向することが好ましい。
【発明の効果】
【００１４】
本発明の建具によれば、火災発生時の樹脂製の框体の溶融による障子の室外側と室内側への分離を効果的に防止できる。
【図面の簡単な説明】
【００１５】
【図１】本発明の一実施形態に係る建具を示す正面図である。
【図２】本実施形態の建具の縦断面図である。
【図３】本実施形態の建具の横断面図である。
【図４】本実施形態の建具が備える障子の戸先面を示す側面図である。
【図５】本実施形態の障子の戸先面の上部に配置された障子下がり防止金具及び分離防止金具を示す斜視図である。
【図６】本実施形態の障子下がり防止金具及びその周囲を示す拡大横断面図である。
【図７】本実施形態の分離防止金具及びその周囲を示す拡大横断面図である。
【図８】第１変形例の障子下がり防止金具及びその周囲を示す斜視図である。
【図９】第１変形例の障子下がり防止金具及びその周囲を示す拡大横断面図である。
【図１０】第２変形例の障子下がり防止金具（分離防止金具）及びその周囲を示す斜視図である。
【図１１】第３変形例の分離防止金具及びその周囲を示す斜視図である。
【図１２】第３変形例の分離防止金具及びその周囲を示す拡大横断面図である。
【図１３】第４変形例の分離防止金具の斜視図である。
【発明を実施するための形態】
【００１６】
以下、本発明の好ましい実施形態について、図面を参照しながら説明する。なお、本明細書において、「見付方向」とは、建物に形成された開口部に納められた建具（サッシ）の枠体に収められるガラスや障子の面内方向を意味し、「見込方向」とは、室内外方向（即ち、奥行き方向）を意味する。
【００１７】
図１は、本発明の一実施形態に係る建具１を示す正面図である。本実施形態の建具１は、防火仕様の縦辷り窓である。まず、建具１の全体構成について説明する。本実施形態の建具１は、建物開口部に固定される枠体１０と、枠体１０の内側に開閉可能に取り付けられる障子２０と、を備える。
【００１８】
枠体１０は、上枠１１、下枠１２、吊元側縦枠１３及び戸先側縦枠１４が矩形に枠組みされて構成される。上枠１１、下枠１２、吊元側縦枠１３及び戸先側縦枠１４は、何れも樹脂製であり、溶着によって接合される。
【００１９】
図２は、本実施形態の建具１の縦断面図である。上枠１１の内部は、見込方向で複数の空間に区画されており、室外側から室内側の順に中空部１１ａ，１１ｂ，１１ｃが形成される。中空部１１ｃには金属製の上枠芯材１１ｄが配置される。また、上枠１１の室内側下部には、下方に延びる延出部１１ｅが形成され、延出部１１ｅの室外側の見付面にはクッション材１１ｆが配置される。同様に、下枠１２の内部にも、見込方向に複数の中空部１２ａ，１２ｂ，１２ｃが形成され、中空部１２ｂには金属製の下枠芯材１２ｄが配置される。また、下枠１２の室内側上部には、上方に延びる延出部１２ｅが形成され、該延出部１２ｅにもクッション材１２ｆが配置される。
【００２０】
図３は、本実施形態の建具１の横断面図である。吊元側縦枠１３の内部も、見込方向で区画された複数の中空部１３ａ，１３ｂ，１３ｃが形成され、中空部１３ｂには金属製の縦枠芯材１３ｄが配置される。また、吊元側縦枠１３の室外側には見付方向戸先側に延びる延出部１３ｅが形成され、該延出部１３ｅにもクッション材１３ｆが配置される。
【００２１】
戸先側縦枠１４の内部にも、見込方向で区画された複数の中空部１４ａ，１４ｂ，１４ｃが形成され、中空部１４ｂには金属製の縦枠芯材１４ｄが配置される。戸先側縦枠１４の室外側にも見付方向吊元側に延びる延出部１４ｅが形成され、該延出部１４ｅにもクッション材１４ｆが配置される。
【００２２】
図３に示すように、枠体１０の内側の隅（内隅）には枠側コーナー金具４６がそれぞれ配置される（図２において図示省略）。枠側コーナー金具４６は、４隅のそれぞれに配置される。枠側コーナー金具４６自体は、枠体１０の見込面に配置されるが、ネジ等の締結部材を介して枠体１０の内側の芯材（上枠芯材１１ｄ、下枠芯材１２ｄ、縦枠芯材１３ｄ及び縦枠芯材１４ｄ）に締結固定される。より具体的には、枠体１０の戸先側上部では、上枠芯材１１ｄと縦枠芯材１４ｄが枠側コーナー金具４６によって連結され、吊元側上部では、上枠芯材１１ｄと縦枠芯材１３ｄが連結される。同様に、戸先側下部では、下枠芯材１２ｄと縦枠芯材１４ｄが枠側コーナー金具４６によって連結され、吊元側下部では、下枠芯材１２ｄと縦枠芯材１３ｄが連結される。
【００２３】
障子２０は、ガラス２５と、ガラス２５を囲うように構成される框体３０と、を含むように構成される。
【００２４】
ガラス２５は、室外側に配置される室外側ガラス２５ａと、室外側ガラス２５ａに対して隙間をあけて室内側に配置される室内側ガラス２５ｂと、を備える複層ガラスである。室外側ガラス２５ａと室内側ガラス２５ｂの間にはスペーサ２６等が配置される。
【００２５】
框体３０は、上框３１、下框３２、吊元側縦框３３及び戸先側縦框３４が矩形に枠組みされて構成される。上框３１、下框３２、吊元側縦框３３及び戸先側縦框３４は、何れも樹脂製であり、溶着によって接合される。
【００２６】
上框３１の内部には、室外側から室内側に向かって複数の中空部３１ａ，３１ｂ，３１ｃが形成される。最も室内側に位置する中空部３１ｃには、金属で形成される室内側上框芯材３１ｄが配置される。中空部３１ｂにも、金属製の室外側上框芯材３１ｅが配置される。室内側上框芯材３１ｄ及び室外側上框芯材３１ｅは、何れも上框３１の長手方向に沿って延びている。上框３１の室外側上部には、上枠１１の一部と見込方向で対向する延出部３１ｆが形成される。延出部３１ｆの室内側にはクッション材３１ｇが設けられる。また、延出部３１ｆの下方には樹脂製の押し縁部材２７を嵌合固定する嵌合固定部３１ｈが形成される。
【００２７】
下框３２の内部にも、室外側から室内側に向かって複数の中空部３２ａ，３２ｂ，３２ｃが形成される。最も室内側に位置する中空部３２ｃには、金属で形成される室内側下框芯材３２ｄが配置される。中空部３２ｂにも、金属製の室外側下框芯材３２ｅが配置される。室内側下框芯材３２ｄ及び室外側下框芯材３２ｅは、何れも下框３２の長手方向に沿って延びている。下框３２の室外側下部には、下枠１２の一部と見込方向で対向する延出部３２ｆが形成される。延出部３２ｆの室内側にはクッション材３２ｇが設けられる。また、延出部３２ｆの下方には樹脂製の押し縁部材２７を嵌合固定する嵌合固定部３２ｈが形成される。
【００２８】
吊元側縦框３３の内部には、室外側から室内側に向かって複数の中空部３３ａ，３３ｂ，３３ｃが形成される。最も室内側に位置する中空部３３ｃには、金属で形成される室内側縦框芯材３３ｄが配置される。中空部３３ｂにも、金属製の室外側縦框芯材３３ｅが配置される。室内側縦框芯材３３ｄ及び室外側縦框芯材３３ｅは、何れも吊元側縦框３３の長手方向に沿って延びている。吊元側縦框３３の室外側には、吊元側縦枠１３の一部と見込方向で対向する延出部３３ｆが形成される。延出部３３ｆの室内側にはクッション材３３ｇが設けられる。また、延出部３３ｆの戸先側には樹脂製の押し縁部材２７を嵌合固定する嵌合固定部３３ｈが形成される。
【００２９】
戸先側縦框３４の内部には、室外側から室内側に向かって複数の中空部３４ａ，３４ｂ，３４ｃが形成される。最も室内側に位置する中空部３４ｃには、金属で形成される室内側縦框芯材３４ｄが配置される。中空部３４ｂにも、金属製の室外側縦框芯材３４ｅが配置される。室内側縦框芯材３４ｄ及び室外側縦框芯材３４ｅは、何れも戸先側縦框３４の長手方向に沿って延びている。戸先側縦框３４の室外側には、吊元側縦枠１３の一部と見込方向で対向する延出部３４ｆが形成される。延出部３４ｆの室内側にはクッション材３４ｇが設けられる。また、延出部３４ｆの吊元側には樹脂製の押し縁部材２７を嵌合固定する嵌合固定部３４ｈが形成される。
【００３０】
本実施形態では、框体３０内部の室外側に位置する芯材（室外側上框芯材３１ｅ、室外側下框芯材３２ｅ、室外側縦框芯材３３ｅ及び室外側縦框芯材３４ｅ）と、室内側に位置する芯材（室内側上框芯材３１ｄ、室内側下框芯材３２ｄ、室内側縦框芯材３３ｄ及び室内側縦框芯材３４ｄ）と、が框芯材連結金具６７によって連結されている。框芯材連結金具６７は、框体３０の外側面の形状に応じて段差状に形成されるプレート部材である。框芯材連結金具６７は、框体３０（上框３１、下框３２、吊元側縦框３３及び戸先側縦框３４）の外部に配置され、框体３０の内部で異なる中空部に配置される室外側の芯材と室内側の芯材にネジ等の締結部材によってそれぞれ締結される。これによって見込方向に複数の中空部が形成される樹脂製の框体３０が火災発生時の高温環境下で室外側と室内側に分離する事態が確実に防止されている。
【００３１】
障子２０は、上枠１１に連結されるとともに上框３１（框体３０）に連結される上アーム部材６１及び下枠１２に連結されるとともに下框３２（框体３０）に連結される下アーム部材６２によって開閉可能に枠体１０の内側に支持される。本実施形態では、上アーム部材６１及び下アーム部材６２は、何れも框体３０に対して金属により板状に成形される補強材６５を介して連結される。
【００３２】
障子２０の戸先側には、ハンドル５５に連動するスライドロック機構５０が配置される。スライドロック機構５０は、ハンドル５５操作に連動して上下方向に移動するスライドプレート５１と、スライドプレート５１の戸先側の見込面に形成されるロックピン５２と、を備える。スライドプレート５１は、戸先側縦框３４の中空部３４ｃを形成する外周側面のうち、戸先側縦枠１４と対向する面に設けられる。戸先側縦枠１４の内側の見込面には、ロックピン５２が嵌合するロックピン受け金具１５が固定される。本実施形態では、ロックピン５２は、上下方向で複数個所に形成されており、ロックピン受け金具１５もロックピン５２の数に応じて上下方向に間隔をあけて複数固定される。また、スライドプレート５１は、戸先側縦框３４の戸先側にスライド嵌合された状態でハンドル５５に連結されている。
【００３３】
下框３２には、通常使用時の障子２０の下がりを防止するための受け樹脂部材３５が下框３２の下面に固定されている。受け樹脂部材３５は、例えばポリアセタール（ＰＯＭ）樹脂により、その下部が室内側から室外側に向かうにつれて下側に近づくように傾斜した形状で成形される。また、障子２０の左右方向において中央よりも戸先側に位置している。この受け樹脂部材３５により、重みによって障子２０が下がったとしても、受け樹脂部材３５が下枠１２に接触し、障子２０のそれ以上の下方への移動が規制される。
【００３４】
本実施形態の建具１は、受け樹脂部材３５とは別に火災発生時の障子２０の下がりや框体３０の室内外への分離を防止する構成を更に備える。これらの障子２０の下がりや框体３０の室内外への分離を防止する構成について説明する。
【００３５】
図４は、本実施形態の建具１が備える障子２０の戸先面を示す側面図である。図４に示すように、障子２０の戸先側には、火災発生時の障子２０の下がりを防止する障子下がり防止金具５６と、障子２０の室外側と室内側の分離を防止する分離防止金具５７と、が配置される。本実施形態では、障子下がり防止金具５６は、障子２０が閉鎖位置にある状態でロックピン受け金具１５の上方に位置するように上下２箇所に配置される。また、分離防止金具５７も上下２箇所に配置されており、上側の分離防止金具５７は、下側の障子下がり防止金具５６よりも戸先側縦框３４の長手方向中央寄りに位置しており、下側の分離防止金具５７も下側の障子下がり防止金具５６よりも戸先側縦框３４の長手方向中央寄りに位置している。
【００３６】
図５は、本実施形態の障子２０の戸先面の上部に配置された障子下がり防止金具５６及び分離防止金具５７を示す斜視図である。なお、図５では、ロックピン受け金具１５が固定される戸先側縦枠１４の図示を省略している。
【００３７】
まず、障子下がり防止金具５６に関連するスライドロック機構５０の構成について説明する。本実施形態のスライドロック機構５０は、戸先側縦框３４の戸先面（見込面）３４ｉに形成される嵌合溝３４ｋに嵌合固定されるスライドプレート５１が上下方向に移動することによってロックピン５２が上下動し、ロックピン受け金具１５とロックピン５２の係合・解除が行われる。
【００３８】
ロックピン受け金具１５は、上下２箇所に形成される設置面１５ａに形成される締結孔１５ｂを通じてネジ（図示省略）が戸先側縦枠１４の中空部１４ｂに位置する縦枠芯材１４ｄに締結されることにより、戸先側縦枠１４の見込面に固定される。上下の設置面１５ａの間には、障子２０を閉鎖位置で固定するためにロックピン５２をロックピン受け金具１５の内側で保持する切欠き部１５ｃが形成される。
【００３９】
切欠き部１５ｃは、ロックピン受け金具１５の室外側の端面から見込方向で室内側に延びた後、上方に延びる形状に形成される。本実施形態では、ロックピン５２がロックピン受け金具１５に係合して切欠き部１５ｃの端面によって障子２０の開放が制限される係合位置が、切欠き部１５ｃから離脱可能となる解除位置よりも上方に位置する関係となっている。従って、スライドプレート５１が移動し、ロックピン５２が係合位置から切欠き部１５ｃの室外側の入口の高さまで下がることによって障子２０が開放可能となる。
【００４０】
本実施形態のロックピン受け金具１５は、上側の設置面１５ａの下端から閉鎖位置の障子２０の戸先側に屈曲する金具受け部１５ｄを有する。この金具受け部１５ｄが、障子下がり防止金具５６を下から受け止めることで障子２０の下がりが防止される。
【００４１】
次に、障子下がり防止金具５６について説明する。図６は、本実施形態の障子下がり防止金具５６及びその周囲を示す拡大横断面図である。障子下がり防止金具５６は、戸先面３４ｉに固定される固定面５６ａと、固定面５６ａから戸先側縦枠１４側に略９０度で屈曲する接触片５６ｂと、を備える。
【００４２】
図６に示すように、障子下がり防止金具５６は、固定面５６ａが戸先側縦框３４の戸先面３４ｉに対向した状態でネジ８１を介して戸先側縦框３４の中空部３４ｂに配置される室外側縦框芯材３４ｅに連結される。この状態では障子下がり防止金具５６とロックピン受け金具１５は接触していないものの、上下方向視では接触片５６ｂがロックピン受け金具１５の金具受け部１５ｄに重なる位置関係となる。
【００４３】
障子下がり防止金具５６は、スライドプレート５１に接触しない位置関係で戸先側縦框３４に固定されており、スライドプレート５１が移動しても連動して移動しない。障子下がり防止金具５６は、火災発生時に框体３０が溶融して障子２０が下がろうとすると戸先側縦枠１４に固定されているロックピン受け金具１５の金具受け部１５ｄによって接触片５６ｂが受け止められて障子２０の戸先側がそれ以上下がらないようになっている。
【００４４】
障子下がり防止金具５６の高さは、火災発生時に障子２０の戸先側が下がってロックピン５２の位置が下がったとしても、ロックピン５２とロックピン受け金具１５の係合が解除可能にならないように設定されている。即ち、図５に示すロックピン５２のロック位置から切欠き部１５ｃの入口から室外側に離脱可能になる高さまでの距離よりも、障子下がり防止金具５６の接触片５６ｂとロックピン受け金具１５の金具受け部１５ｄの距離が短くなるように設定されている。これによって、ハンドル５５等の操作ではなく火災発生時の溶融等によって障子２０が下がっても、ロックピン５２が切欠き部１５ｃから離脱可能な高さまで下がる前に、障子２０の下がりが止められることになる。
【００４５】
次に、分離防止金具５７について説明する。本実施形態では、耐熱性を有する材料で構成されるスライドプレート５１を利用して障子２０の室内外の分離を防止する。本実施形態では、耐熱性を有する材料としてアルミニウム材（金属）製のスライドプレート５１が用いられる。なお、アルミニウム材は、アルミニウムを主成分とする金属材料である。
【００４６】
図５に示すように、スライドプレート５１には、該スライドプレート５１の移動方向と同じ方向で細長いプレート側スリット５３が形成される。分離防止金具５７は、戸先面３４ｉに固定される固定面５７ａと、スライドプレート５１に干渉しないように固定面５７ａから戸先側縦枠１４側に段差状となる段差部５７ｃと、段差部５７ｃの室内側端部から吊元側に略９０度で屈曲してプレート側スリット５３に差し込まれる差込片５７ｂと、を備える。本実施形態の固定面５７ａは、戸先面３４ｉの形状に応じて屈曲するように形成されている。
【００４７】
プレート側スリット５３の長手方向の長さは、スライドプレート５１の可動範囲に応じて設定されている。プレート側スリット５３は、スライドプレート５１がロック位置から解除位置に移動しても差込片５７ｂがスライドプレート５１に接触しないように、スライドプレート５１の可動範囲よりも上下方向に長くなっている。
【００４８】
図７は、本実施形態の分離防止金具５７及びその周囲を示す拡大横断面図である。図７に示すように、分離防止金具５７は、固定面５７ａが戸先側縦框３４の戸先面３４ｉに対向した状態でネジ８２を介して戸先側縦框３４の中空部３４ｂに配置される室外側縦框芯材３４ｅに連結される。
【００４９】
本実施形態の室外側縦框芯材３４ｅには、戸先側縦框３４の内側の見込面に配置されるガラス外れ止め部材４０がネジ４５を介して連結されている。ガラス外れ止め部材４０は、ガラス２５の室外側への移動を規制する部材であり、内側の底面には加熱発泡材３８が配置される。
【００５０】
火災発生時に戸先側縦框３４が溶融して框体３０が室外側と室内側に分離しそうになったとしても、室外側縦框芯材３４ｅに連結される分離防止金具５７により、スライドプレート５１の見込方向の移動が規制される。溶融によって中空部３４ｂと中空部３４ｃの境目の壁部が裂けて戸先側縦框３４が室内外に分離する事態の発生を効果的に防止できる。
【００５１】
以上説明した上記実施形態の構成によれば、以下のような効果を奏する。
建具１は、障子２０の戸先側に配置される樹脂製の戸先側縦框３４と、障子２０が閉鎖位置にある状態で戸先側縦框３４に対向する戸先側縦枠１４に固定されるロックピン受け金具（係合部材）１５と、戸先側縦框３４にスライド移動可能に配置され、ロックピン受け金具１５に係合するロックピン（被係合部材）５２を有するスライドプレート（スライド部材）５１と、金属製の分離防止金具５７と、を備える。分離防止金具５７は、戸先側縦框３４に固定される固定面（固定部）５７ａと、スライドプレート５１に形成されるプレート側スリット５３に差し込まれる差込片（差込部）５７ｂと、を有する。プレート側スリット５３は、ロックピン５２がロックピン受け金具１５に係合する係合位置から係合が解除されて障子２０を開くことができる解除位置までのスライドプレート５１の移動範囲で差込片５７ｂが接触しない形状に形成される。即ち、プレート側スリット５３は、差込片５７ｂが差し込まれた状態でロックピン５２がロックピン受け金具１５に係合する係合位置から係合が解除されて障子２０を開くことができる解除位置までスライドプレート５１の移動を許容する形状に設定される。
【００５２】
これにより、火災発生時に樹脂製の戸先側縦框３４が溶融しても、プレート側スリット５３に差し込まれる金属製の分離防止金具５７の差込片５７ｂによってスライドプレート５１の戸先側縦框３４からの離脱が防止されるとともに該スライドプレート５１を介して框体３０（障子２０）の室外側と室内側への分離を防止することができる。また、通常の使用範囲では分離防止金具５７の差込片５７ｂによってスライドプレート５１の移動が妨げられることもない。
【００５３】
また、本実施形態では、建具１は、戸先側縦框３４の内側に形成される中空部３４ｂに配置される室外側縦框芯材３４ｅを更に備え、固定面５７ａは、戸先側縦框３４の外部に室外側縦框芯材３４ｅに連結された状態で固定される。
【００５４】
これにより、室外側縦框芯材３４ｅに連結支持される分離防止金具５７によってスライドプレート５１の見込方向の移動を規制できるので、より確実の障子２０の室外側と室内側への分離を防止することができる。
【００５５】
戸先側縦框３４の内側には、相対的に室外側に位置する中空部３４ｂと相対的に室内側に位置する中空部３４ｃが少なくとも形成され、スライドプレート５１は、戸先側縦框３４の中空部３４ｃに対応する位置に設けられ、分離防止金具５７の固定面５７ａは、中空部３４ｂに配置される室外側縦框芯材３４ｅに固定される。
【００５６】
これにより、中空部３４ｂと中空部３４ｃを区画する壁部が割ける事態の発生を確実に防止することができる。
【００５７】
また、本実施形態では、建具１は、戸先側縦框３４の内側の面に配置されるガラス外れ止め部材４０を更に備え、室外側縦框芯材３４ｅは、ガラス外れ止め部材４０にも連結固定される。
【００５８】
これにより、ガラス２５の外れ止めを行っているガラス外れ止め部材４０にも室外側縦框芯材３４ｅされているので、ガラス２５の室外側への移動を強固に固定でき、障子２０の室外側と室内側の分離をより一層強固に防止することができる。
【００５９】
また、上記実施形態の構成によれば、以下のような効果も奏する。
建具１は、障子２０の戸先側に配置される樹脂製の戸先側縦框３４と、戸先側縦框３４の内側に形成される中空部３４ｂに配置される室外側縦框芯材３４ｅと、障子２０が閉鎖位置にある状態で戸先側縦框３４に対向する戸先側縦枠１４に固定される金属製のロックピン受け金具（係合部材）１５と、戸先側縦框３４にスライド移動可能に配置され、ロックピン受け金具１５に係合するロックピン（被係合部材）５２を有するスライドプレート（スライド部材）５１と、金属製の障子下がり防止金具５６と、を備える。障子下がり防止金具５６は、戸先側縦框３４の外部に室外側縦框芯材３４ｅに連結された状態で固定される固定面５６ａと、障子２０が閉鎖位置にある状態でロックピン受け金具１５の上方に位置し、上下方向視でロックピン受け金具１５に重なる接触片（接触部）５６ｂと、を有する。
【００６０】
これにより、火災によって樹脂部分が溶融したとしても、戸先側縦框３４に固定される障子下がり防止金具５６の接触片５６ｂが、戸先側縦枠１４に固定される金属製のロックピン受け金具１５に下から支持され、障子２０の戸先側がそれ以上下がらなくなる。これによって火災発生時に障子２０が下がってロックピン５２とロックピン受け金具１５の係合が解除されて障子２０が意図せず開く事態の発生を防止することができる。
【００６１】
また、本実施形態では、障子２０が閉鎖位置にある状態では接触片５６ｂとロックピン受け金具１５の間に隙間が形成され、火災によって障子２０の戸先側が下がったときに初めて接触片５６ｂがロックピン受け金具１５に接触するように構成される。
【００６２】
これにより、通常時の障子２０の開閉動作時に接触片５６ｂとロックピン受け金具１５が接触しないので、接触片５６ｂが障子２０の開閉動作を妨げることもない。
【００６３】
上記実施形態の変形例について説明する。なお、以下の説明において上記実施形態と共通又は同様の構成については同じ符号を付してその説明を省略する場合がある。
【００６４】
まず、上記実施形態の障子下がり防止金具５６とは異なる形状の障子下がり防止金具２５６を適用した第１変形例について説明する。図８は、第１変形例の障子下がり防止金具２５６及びその周囲を示す斜視図である。なお、図８では、ロックピン受け金具１５が固定される戸先側縦枠１４の図示を省略している。
【００６５】
図８に示すように、障子下がり防止金具２５６は、スライドプレート５１の上方に固定され、スライドプレート５１とは一体的に移動せずに障子２０の下がりを防止する。
【００６６】
第１変形例の障子下がり防止金具２５６は、戸先面３４ｉの室外側に固定される第１固定面２５６ａと、戸先面３４ｉの室内側に固定される第２固定面２５６ｂと、第２固定面２５６ｂに対して戸先側縦枠１４側に略９０度で屈曲する接触片２５６ｃと、を備える。
【００６７】
図９は、第１変形例の障子下がり防止金具２５６及びその周囲を示す拡大横断面図である。図９に示すように、第１固定面２５６ａは、上記実施形態の固定面５６ａと同様にネジ８１を介して戸先側縦框３４の中空部３４ｂに配置される室外側縦框芯材３４ｅに連結される。
【００６８】
一方、第２固定面２５６ｂは、戸先面３４ｉの形状に応じて第１固定面２５６ａよりも見付方向吊元側に位置しており、第１固定面２５６ａに対して段差状に形成される。そして、第２固定面２５６ｂは、ネジ８５を介して戸先側縦框３４の中空部３４ｃに配置される室内側縦框芯材３４ｄに連結される。
【００６９】
接触片２５６ｃは、上下方向視でロックピン受け金具１５の金具受け部１５ｄに重なる位置関係となる。通常の使用範囲では、接触片２５６ｃと金具受け部１５ｄの間にはクリアランスが設定される。なお、このクリアランスを決めるロックピン受け金具１５に対する接触片２５６ｃの高さ等の位置関係は、上記実施形態の障子下がり防止金具５６の接触片５６ｂと同様である。
【００７０】
このように、第１変形例では、障子下がり防止金具２５６が、戸先側縦框３４の外側で室内側縦框芯材（第２框芯材）３４ｄに連結された状態で固定される第２固定面２５６ｂを更に有する。
【００７１】
これにより、第１実施形態の障子下がり防止金具５６と同様の効果を奏するとともに、見込方向で隣接する中空部３３ｂ,３３ｃにそれぞれ配置される室内側縦框芯材３４ｄと室外側縦框芯材３４ｅが障子下がり防止金具２５６によって連結されるので、障子下がり防止金具２５６によっても、框体３０の室内側の分離も防止することができる。
【００７２】
図８に示すように、第１変形例では、分離防止金具５７も室外側縦框芯材３４ｅに連結されており、スライドプレート５１、室外側縦框芯材３４ｅ、室内側縦框芯材３４ｄ、障子下がり防止金具２５６、分離防止金具５７が連関して障子２０の分離を防止している。
【００７３】
また、第１変形例でも、室外側縦框芯材３４ｅは、ガラス外れ止め部材４０にも連結固定されており、障子下がり防止金具２５６によってもガラス外れ止め部材４０が強固に保持される。
【００７４】
次に、スライドプレート５１を利用して障子２０の室内外の分離を防止しつつ、障子２０の下がりを防止する第２変形例について説明する。図１０は、第２変形例の障子下がり防止金具（分離防止金具）３５７及びその周囲を示す斜視図である。なお、図１０では、ロックピン受け金具１５が固定される戸先側縦枠１４の図示を省略している。
【００７５】
図１０に示すロックピン受け金具１５は、上下２箇所に配置されるロックピン受け金具１５のうち下側に配置されるものである。スライドプレート５１におけるロックピン受け金具１５の近傍には、該スライドプレート５１の移動方向と同じ方向で細長いプレート側スリット５３が形成される。
【００７６】
第２変形例の障子下がり防止金具（分離防止金具）３５７は、戸先面３４ｉに固定される固定面３５７ａと、固定面５６ａからスライドプレート５１を越えるように屈曲する段差部３５７ｃと、プレート側スリット５３に差し込まれる差込片３５７ｂと、上下方向視でロックピン受け金具１５の金具受け部１５ｄに重なる接触片３５７ｄと、を備える。
【００７７】
固定面３５７ａは、上記実施形態の固定面５７ａと同様にネジ８１を介して戸先側縦框３４の中空部３４ｂに配置される室外側縦框芯材３４ｅに連結される。段差部３５７ｃの室内側からは、差込片３５７ｂと接触片３５７ｄが上下に分かれてそれぞれの方向に屈曲している。より具体的には、差込片３５７ｂは、段差部３５７ｃの上半分から吊元側に略９０度で屈曲してプレート側スリット５３に差し込まれる。接触片３５７ｄは、段差部３５７ｃの下半分から室外側に延びた後、折り返すように室外側に屈曲しており、下端面がロックピン受け金具１５の金具受け部１５ｄに対向する。
【００７８】
このように、第２変形例の障子下がり防止金具３５７は、障子２０が閉鎖位置にある状態でロックピン受け金具１５の上方に位置し、上下方向視でロックピン受け金具１５に重なる接触片３５７ｄを更に有するとともに、プレート側スリット５３に差し込まれる差込片３５７ｂを有し、分離防止金具としての機能も有する。
【００７９】
この構成によっても上記実施形態及び第１変形例と同様に、障子２０の下がりを防止しつつ、障子２０の室外側と室内側への分離を防止することができる。
【００８０】
次に、上記実施形態や変形例とは異なる形状の分離防止金具５４及び室外側縦框芯材４５４を備える建具１について説明する。図１１は、第３変形例の分離防止金具５４及びその周囲を示す斜視図である。
【００８１】
図１１に示すように、第３変形例では、戸先側縦框３４の戸先面３４ｉには、スライドプレート５１の移動方向と平行な方向で細長い框側スリット３４ｊが形成される。そして、第３変形例の分離防止金具５４は、スライドプレート５１の見込面に固定される固定面５４ａと、固定面５４ａの室外側端部から吊元側に略９０度で屈曲して框側スリット３４ｊに差し込まれる差込片５４ｂと、を備える。
【００８２】
図１２は、第３変形例の分離防止金具５４及びその周囲を示す拡大横断面図である。図１２に示すように、固定面５４ａは、スライドプレート５１にネジ８３によって固定されており、スライドプレート５１と一体的に移動する。固定面５４ａ及びネジ８３は、スライドプレート５１の移動を妨げないように、他の部材に接触しない形状となっている。
【００８３】
ここで、第３変形例で用いられる室外側縦框芯材４３４について説明する。第３変形例の室外側縦框芯材４３４は、中空部３３ｂの吊元側の内壁に対向する固定面４３４ａと、固定面４３４ａの室外側端部から戸先側に屈曲する室外側面４３４ｂと、固定面４３４ａの室内側端部から戸先側に屈曲する室内側面４３４ｃと、を備える。そして、第３変形例では、框側スリット３４ｊに差し込まれた差込片５４ｂの先端が室内側面４３４ｃの先端よりも室外側に位置した状態となっている。差込片５４ｂの吊元側の先端と室内側面４３４ｃの戸先側の先端は見込方向で互いに対向する位置関係となっている。
【００８４】
このように、第３変形例の建具１の分離防止金具５４は、固定面５４ａがスライドプレート５１に固定され、差込片５４ｂが、戸先側縦框３４に形成される框側スリット３４ｊに差し込まれ、戸先側縦框３４の内部で室外側縦框芯材３４ｅと見込方向で対向する。
【００８５】
これによっても、上記実施形態や変形例と同様に、障子２０の室外側と室内側への分離を防止することができる。火災によって戸先側縦框３４が室外側と室内側に分離しようとしても、框側スリット３４ｊに差し込まれる分離防止金具５４の差込片５４ｂが戸先側縦框３４の内部で室外側縦框芯材３４ｅに接触してそれ以上の分離が妨げられるのである。
【００８６】
次に、上記実施形態の分離防止金具５７とは形状が異なる第４変形例について説明する。図１３は、第４変形例の分離防止金具４５７の斜視図である。なお、図１３に示す分離防止金具４５７は、上記実施形態の分離防止金具５７と同じ場所に配置することができるものである。
【００８７】
図１３に示すように、第４変形例の分離防止金具４５７は、戸先側縦框３４に固定される固定面４５７ａと、プレート側スリット５３に差し込まれる差込片５７ｂと、から構成されており、その基本的な機能は上記実施形態の分離防止金具５７と同様である。
【００８８】
第４変形例では、固定面４５７ａが２重になっている。固定面４５７ａは、板状部材の端部を折り返すように構成されており、この折り返して２重になっている部分を貫通する締結孔４５７ｄが形成される。折り返した面４５７ｃが戸先側縦框３４に対面接触する。締結孔４５７ｄは、見込方向に細長い長孔となっており、分離防止金具４５７の取付位置を見込方向で調整可能となっている。固定面４５７ａの折り返された側の反対側である室内側に差込片４５７ｂが形成される。
【００８９】
第４変形例の構成では、折り返しによって固定面４５７ａが厚くなっているので、戸先側縦框３４に取り付けた状態でも、スライドプレート５１に干渉しない位置関係となっている。本構成によっても、上記実施形態や変形例のように、障子２０の室内外の分離を効果的に防止することができる。このように、分離防止金具の構成も事情に応じて適宜変更することができる。
【００９０】
なお、上記実施形態や第１変形例から第３変形例の障子下がり防止金具及び分離防止金具のネジを締結するための締結孔を第４変形例で説明した締結孔４５７ｄと同様の長孔とすることもできる。
【００９１】
以上、本発明の好ましい実施形態について説明したが、本発明は、上述の実施形態に制限されるものではなく、適宜変更が可能である。例えば、係合位置や解除位置において、差込片（差込部）５７ｂがプレート側スリット（差込孔）５３に接触する構成や、框側スリット（差込孔）３４ｊに差込片（差込部）４５７ｂが接触する構成であってもよい。即ち、差込孔は、スライド部材の移動を許容する形状であればよい。
【００９２】
障子下がり防止金具及び分離防止金具は、上記実施形態及び変形例で説明した組み合せに限られず、その組み合わせは事情に応じて適宜変更することができる。また、場合によっては、上記実施形態や変形例の障子下がり防止金具や分離防止金具を省略することもできる。例えば、上記実施形態や変形例から障子下がり防止金具を省略し、障子２０の分離防止機能を有するものだけを備える構成としてもよい。
【００９３】
上記実施形態では、縦辷り窓を例に説明したが、横辷り窓あってもよく、開閉可能な障子を備える種々の建具に本発明を適用することができる。
【００９４】
また、上記実施形態で説明した上框３１、下框３２、吊元側縦框３３及び戸先側縦框３４の構成に限られず、框体の構成は適宜変更することができる。例えば、框体（上框、下框、吊元側縦框及び戸先側縦框）の見込方向室内側及び室外側の何れか一側又は両方にアルミ形材等の金属製のカバー部材を配置する構成としてもよい。
【符号の説明】
【００９５】
１  建具
１０  枠体
１４  戸先側縦枠（戸先側框）
１５  ロックピン受け金具（係合部材）
２０  障子
３０  框体
３４  戸先側縦框
３４ｂ  中空部
３４ｃ  中空部（第２中空部）
３４ｄ  室内側縦框芯材（第２框芯材）
３４ｅ  室外側縦框芯材（框芯材）
３４ｉ  框側スリット（差込孔）
５１  スライドプレート（スライド部材）
５２  ロックピン（被係合部材）
５３  プレート側スリット（差込孔）
５４，５７，４５７  分離防止金具
５４ａ，５７ａ，３５７ａ，４５７ａ  固定面（固定部）
５４ｂ，５７ｂ，３５７ｂ，４５７ｂ  差込片（差込部）
５６，２５６  障子下がり防止金具
５６ａ，３５７ａ  固定面（固定部）
２５６ａ  第１固定面（第１固定部）
２５６ｂ  第２固定面（第２固定部）
５６ｂ，２５６ｃ，３５７ｄ  接触片（接触部）
３５７  障子下がり防止金具（分離防止金具）
【図１】
2019065554.tif 000003
【図２】
2019065554.tif 000004
【図３】
2019065554.tif 000005
【図４】
2019065554.tif 000006
【図５】
2019065554.tif 000007
【図６】
2019065554.tif 000008
【図７】
2019065554.tif 000009
【図８】
2019065554.tif 000010
【図９】
2019065554.tif 000011
【図１０】
2019065554.tif 000012
【図１１】
2019065554.tif 000013
【図１２】
2019065554.tif 000014
【図１３】
2019065554.tif 000015